(57)【要約】      （修正有）【課題】地震等による転倒防止を図った吸着部材を提供する。【解決手段】吸着部材Ｂは、本体１０の下方に位置して、本体１０を支持すると共に、上方に開口する開口部を有する凹形状の第１の支持部材１と、この第１の支持部材１の凹所内に取り付けられ、本体１０の底面に当接する第１の吸着パッド３と、第１の支持部材１に接続され、第１の支持部材１を介して本体１０を支持すると共に、下方に開口する開口部を有する凹形状の第２の支持部材２と、この第２の支持部材２の凹所内に取り付けられ、載置面２０に当接する第２の吸着パッド４とを備えているものである。【選択図】図４
2012219993.tif 000002
【特許請求の範囲】
【請求項１】
本体の下方に位置して、前記本体を支持すると共に、上方に開口する開口部を有する凹形状の第１の支持部材と、
この第１の支持部材の凹所内に取り付けられ、前記本体の底面に当接する第１の吸着パッドと、
前記第１の支持部材に接続され、前記第１の支持部材を介して前記本体を支持すると共に、下方に開口する開口部を有する凹形状の第２の支持部材と、
この第２の支持部材の凹所内に取り付けられ、載置面に当接する第２の吸着パッドと、
を備えていることを特徴と吸着部材。
【請求項２】
第１の支持部材の外周縁部の部位に略平坦な面が形成され、該平坦な面の上に第１の吸着パッドが位置し、
第２の支持部材の外周縁部の部位に略平坦な面が形成され、該平坦な面の下に第２の吸着パッドが位置している
ことを特徴とする請求項１記載の吸着部材。
【請求項３】
上方に開口し、本体の底面に当接する第１の吸着パッドと、
この第１の吸着パッドに接続され、下方に開口し、載置面に当接する第２の吸着パッドと、
を備えていることを特徴と吸着部材。
【請求項４】
本体に接続され、前記本体の下方に位置して、前記本体を支持すると共に、下方に開口する開口部を有する凹形状の支持部材と、
この支持部材の凹所内に取り付けられ、載置面に当接する吸着パッドと
を備えていることを特徴と吸着部材。
【請求項５】
支持部材の外周縁部の部位に略平坦な面が形成され、該平坦な面の下に吸着パッドが位置している
ことを特徴とする請求項４記載の吸着部材。
【発明の詳細な説明】
【技術分野】
【０００１】
本発明は、吸着部材に係り、特に、地震等による転倒防止を図った吸着部材に関する。
【背景技術】
【０００２】
従来、機器等の本体の下部に滑り止め用のゴムを備えたものがあり、水平方向の揺れに対しては、滑り止め用のゴムの摩擦抵抗により本体の移動を阻止することができる。
【発明の概要】
【発明が解決しようとする課題】
【０００３】
しかしながら、垂直方向の地震等の揺れに対しては、上記の滑り止め用のゴムでは、対応できず、本体が容易に転倒するという問題点があった。
【０００４】
本発明は、上記の問題点を考慮してなされたもので、地震等による転倒防止を図った吸着部材を提供することを目的とする。
【課題を解決するための手段】
【０００５】
請求項１記載の吸着部材は、本体の下方に位置して、前記本体を支持すると共に、上方に開口する開口部を有する凹形状の第１の支持部材と、この第１の支持部材の凹所内に取り付けられ、前記本体の底面に当接する第１の吸着パッドと、前記第１の支持部材に接続され、前記第１の支持部材を介して前記本体を支持すると共に、下方に開口する開口部を有する凹形状の第２の支持部材と、この第２の支持部材の凹所内に取り付けられ、載置面に当接する第２の吸着パッドとを備えているものである。
【０００６】
また、請求項２記載の吸着部材は、請求項１記載の吸着部材において、第１の支持部材の外周縁部の部位に略平坦な面が形成され、該平坦な面の上に第１の吸着パッドが位置し、第２の支持部材の外周縁部の部位に略平坦な面が形成され、該平坦な面の下に第２の吸着パッドが位置しているものである。
【０００７】
また、請求項３記載の吸着部材は、上方に開口し、本体の底面に当接する第１の吸着パッドと、この第１の吸着パッドに接続され、下方に開口し、載置面に当接する第２の吸着パッドとを備えているものである。
【０００８】
また、請求項４記載の吸着部材は、本体に接続（機械的に接続、吸着パッドにより接続の両方を含む）され、前記本体の下方に位置して、前記本体を支持すると共に、下方に開口する開口部を有する凹形状の支持部材と、この支持部材の凹所内に取り付けられ、載置面に当接する吸着パッドとを備えているものである。
【０００９】
また、請求項５記載の吸着部材は、請求項４記載の吸着部材において、支持部材の外周縁部の部位に略平坦な面が形成され、該平坦な面の下に吸着パッドが位置しているものである。
【発明の効果】
【００１０】
請求項１記載の吸着部材によれば、本体と載置面との間に吸着部材が位置すると、本体の荷重により、第１の吸着パッド及び第２の吸着パッドの扁平状の変形が保持され、第１の吸着パッドが本体の底面に、第２の吸着パッドが載置面に、それぞれ密着して吸着するため、地震等による本体の転倒防止を図ることができる。
【００１１】
また、請求項２記載の吸着部材によれば、上述した請求項１記載の発明の効果に加え、第１の支持部材の外周縁部の部位に略平坦な面が形成され、該平坦な面の上に第１の吸着パッドが位置し、第２の支持部材の外周縁部の部位に略平坦な面が形成され、該平坦な面の下に第２の吸着パッドが位置しているため、吸着パッドを傷つけないで、しかも、吸着パッド内の負圧状態を良好に保持することができる。
【００１２】
また、請求項３記載の吸着部材によれば、本体と載置面との間に吸着部材が位置すると、本体の荷重により、第１の吸着パッド及び第２の吸着パッドの扁平状の変形が保持され、第１の吸着パッドが本体の底面に、第２の吸着パッドが載置面に、それぞれ密着して吸着するため、地震等による本体の転倒防止を図ることができる。
【００１３】
また、請求項４記載の吸着部材によれば、本体の荷重により、吸着パッドの扁平状の変形が保持され、吸着パッドが載置面に、密着して吸着するため、地震等による本体の転倒防止を図ることができる。
【００１４】
また、請求項５記載の吸着部材によれば、上述した請求項４記載の発明の効果に加え、支持部材の外周縁部の部位に略平坦な面が形成され、該平坦な面の下に吸着パッドが位置しているため、吸着パッドを傷つけないで、しかも、吸着パッド内の負圧状態を良好に保持することができる。
【図面の簡単な説明】
【００１５】
【図１】図１は、本発明の一実施例の吸着部材の概略的断面図である。
【図２】図２は、図１の吸着部材を分解して示す概略的分解図である。
【図３】図３は、図１の吸着部材を本体に取り付けた状態の概略的斜視図である。
【図４】図４は、図３の吸着部材を載置面に載置した状態の概略的断面図である。
【図５】図５は、図１の吸着部材と異なる他の実施例の吸着部材の概略的断面図である。
【図６】図６は、図５の吸着部材を分解して示す概略的分解図である。
【図７】図７は、図５の吸着部材と異なる他の実施例の吸着部材を本体に取り付けた状態の概略的断面図である。
【図８】図８は、図７の吸着部材と異なる他の実施例の吸着部材の概略的断面図である。
【図９】図９は、図８の吸着部材と異なる他の実施例の吸着部材の概略的断面図である。
【発明を実施するための形態】
【００１６】
本発明の一実施例の吸着部材を図面を参照して説明する。
図１乃至図４に示すＢは吸着部材で、吸着部材Ｂは、機器等の本体１０と載置面２０との間に位置すると共に、本体１０と載置面２０とにそれぞれ吸着して地震等による本体１０の転倒防止を図るものである。
【００１７】
図１に示す１は、取り付けられる本体１０（図３参照）の下方に位置して、本体１０を支持する第１の支持部材で、第１の支持部材１は、金属製で上方に開口する開口部１ａを有する凹形状をなし、例えば、略椀形状をなしている。
２は、第１の支持部材１に接続され、第１の支持部材１を介して本体１０を支持する第２の支持部材で、第２の支持部材２は、第１の支持部材１と同様、金属製で形成され、下方に開口する開口部２ａを有する凹形状をなし、例えば、略椀形状をなしている。
【００１８】
また、図１に示す３は、取り付けられる本体１０の底面に当接する第１の吸着パッドで、第１の吸着パッド３は合成樹脂製で、第１の支持部材１の凹所１ｂ内に取り付けられ、例えば、略円錐形状をなしている。
また、図１に示す４は、載置される載置面２０に当接する第２の吸着パッドで、第２の吸着パッド４は、第１の吸着パッド３と同様、合成樹脂製で、第２の支持部材２の凹所２ｂ内に取り付けられ、例えば、略円錐形状をなしている。
【００１９】
また、図１に示すように、第１の支持部材１の外周縁部の部位に略平坦な面１ａ’が形成され、該平坦な面１ａ’の上に第１の吸着パッド３が位置し、第２の支持部材２の外周縁部の部位に略平坦な面２ａ’が形成され、該平坦な面２ａ’の下に第２の吸着パッド４が位置している。
【００２０】
なお、第１の支持部材１と第２の支持部材２は、第１の取付部材５、第２の取付部材６、第３の取付部材７、第１の雄ネジ体８、第２の雄ネジ体９により取り付けられている。
第１の取付部材５の内面には、第１の雄ネジ体８に螺合する雌ねじ部５ａが、第１の取付部材５の外面には、第２の取付部材６の雌ねじ部６ａに螺合する雄ネジ部５ｂが、それぞれ設けられている。
また、第３の取付部材７の内面には、第２の雄ネジ体９に螺合する雌ねじ部７ａが、第３の取付部材７の外面には、第２の取付部材６の雌ねじ部６ａに螺合する雄ネジ部７ｂが、それぞれ設けられている。
そして、第１の吸着パッド３は、第１の雄ネジ体８、第１の取付部材５、第２の取付部材６により第１の取付部材１に取り付けられている。
また、第２の吸着パッド４は、第２の雄ネジ体９、第２の取付部材６、第３の取付部材７により第２の取付部材２に取り付けられている。
【００２１】
従って、上述した吸着部材Ｂによれば、例えば、図３に示すように、本体１０の裏面に吸着部材Ｂを複数（例えば、４個）吸着させ、載置面２０に載置すると、つまり、図４に示すように、本体１０と載置面２０との間に吸着部材Ｂが位置し、本体１０の荷重により、第１の吸着パッド３及び第２の吸着パッド４が扁平状の変形し、該扁平状の変形が保持され、第１の吸着パッド３が本体１０の底面に、第２の吸着パッド４が載置面２０に、それぞれ密着して吸着するため、地震等による本体１０の転倒防止を図ることができる。
なお、特に、第１の支持部材１の外周縁部の部位に略平坦な面１ａ’が形成され、該平坦な面１ａ’の上に第１の吸着パッド３が位置し、第２の支持部材２の外周縁部の部位に略平坦な面２ａ’が形成され、該平坦な面２ａ’の下に第２の吸着パッド４が位置しているため、吸着パッド３、４を傷つけないで、しかも、吸着パッド３、４内の負圧状態を良好に保持することができる。
【００２２】
上述した図１乃至図４記載の実施例においては、第１の取付部材５、第２の取付部材６、第３の取付部材７を用いたが、本願発明にあっては、これに限らず、図５及び図６記載の吸着部材Ｂであっても良い。
即ち、第１のネジ体８’の内面に第２の雄ネジ体９に螺合する雌ねじ部８’ａを設けて、第１のネジ体８’と第２の雄ネジ体９を連結して、第１の吸着パッド３及び第２の吸着パッド４の取り付けと第１の支持部材１及び第２の支持部材２の連結を行うことができる。
【００２３】
また、上述した図１乃至図６記載の実施例においては、吸着部材Ｂの本体１０への接続は、第１の吸着パッド３による吸着により行ったが、本願発明にあっては、これに限らず、図７記載のように、吸着部材Ｂを本体１０に機械的に接続して行うようにしても良い。
即ち、上述した図１乃至図６記載の実施例の第１の吸着パッド３を省略し、本体１０に設けた穴１０ａに雄ネジ体９’を通し、通した雄ネジ体９’にナット１１を螺合する。なお、支持部材２は、本体１０の下方に位置して、本体１０を支持すると共に、下方に開口する開口部２ａを有する凹形状であり、吸着パッド４は上述の実施例と同様、載置面２０に当接するものであり、支持部材２の凹所内に取り付けられている。
この実施例の吸着部材Ｂにあっても、上述の実施例と同様、支持部材２の外周縁部の部位に略平坦な面２ａ’が形成され、該平坦な面２ａ’の下に吸着パッド４が位置しているため、吸着パッド４を傷つけないで、しかも、吸着パッド４内の負圧状態を良好に保持することができる。
【００２４】
また、上述した図１乃至図６記載の実施例においては、第１の支持部材１、第２の支持部材２を用いたが、図８に示すように省略しても良い。
かかる場合の吸着部材Ｂの第１の吸着パッド３は、上方に開口し、本体(図示しないが、図３記載の本体１０、図４記載の本体１０)の底面に当接する。第２の吸着パッド４は、第１の吸着パッド３に接続され、下方に開口し、載置面(図示しないが、図３記載の載置面２０、図４記載の載置面２０)に当接するものである。
この吸着部材Ｂにあっても、本体（図示せず）と載置面（図示せず）との間に吸着部材Ｂが位置すると、本体（図示せず）の荷重により、第１の吸着パッド３及び第２の吸着パッド４が扁平状の変形し、該扁平状の変形が保持され、第１の吸着パッド３が本体（図示せず）の底面に、第２の吸着パッド４が載置面（図示せず）に、それぞれ密着して吸着するため、地震等による本体（図示せず）の転倒防止を図ることができる。
【００２５】
また、上述した図１乃至図４記載の吸着部材Ｂにおいては、本体１０、載置面２０に吸着した後、吸着を解除するには困難を伴うが、図９記載の吸着部材Ｂは、吸着の解除を容易とすることができる。
即ち、第２の取付部材６内での第１の取付部材５と第３の取付部材７との間に隙間ｃができるように、第１の取付部材５、第３の取付部材７、第１のネジ体８及び第２の雄ネジ体９の長さを調整する。更に、隙間ｃに、第１のネジ体８に設けた貫通孔８Ａと、第２の雄ネジ体９に設けた貫通孔９Ａと、第２の取付部材６に設けた横貫通孔６Ａとをそれぞれ連通させ、横貫通孔６Ａを塞ぐ蓋Ｆを設ける。そして、第１の吸着パッド３が本体１０の底面に、第２の吸着パッド４が載置面２０に、それぞれ密着して吸着させ、この状態を横貫通孔６Ａに蓋Ｆで塞いで保持し、蓋Ｆを横貫通孔６Ａから取り外すことにより、吸着の解除を容易に行うことができる。
【符号の説明】
【００２６】
Ｂ      吸着部材
１      第１の支持部材
２      第２の支持部材
３      第１の吸着パッド
４      第２の吸着パッド
１０    本体
２０    載置面
【図１】
2012219993.tif 000003
【図２】
2012219993.tif 000004
【図３】
2012219993.tif 000005
【図４】
2012219993.tif 000006
【図５】
2012219993.tif 000007
【図６】
2012219993.tif 000008
【図７】
2012219993.tif 000009
【図８】
2012219993.tif 000010
【図９】
2012219993.tif 000011